(57)【要約】      （修正有）【課題】製造及び位組立てコストの低減に資することができる遊技媒体の補給シュートを提供する。【解決手段】樹脂製の基部１１０と前記基部に回動可能に枢着された樹脂製の胴部１５０とを有する。基部と胴部は樹脂製であるから一体成形による低コスト製造が可能である。さらに、基部と胴部を枢着する孔１３０又は突起１７０の形成部位は拡開可能な弾性を有し、且つ、孔の近傍には突起を孔に案内するテーパー溝１３２が形成されている。これにより、基部と胴部の組立も容易になり、組立コストも低減する。【選択図】図３
0003172310.tif 000002
【実用新案登録請求の範囲】
【請求項１】
樹脂製の基部と、前記基部に回動可能に枢着された樹脂製の胴部とを有し、
前記基部は、上部開口と下部開口に連通する概略L字状を呈する遊技媒体の第１通路が形成されると共に遊技媒体使用機に取り付けるための取り付け部を有し、
前記胴部は、上部開口と下部開口に連通する概略直管状を呈する遊技媒体の第２通路が形成され、
前記基部と胴部の何れか一方には枢着用の突起が一対形成され、他方には前記突起が枢支される孔が一対形成され、前記孔が形成された一対の部位は対向距離が拡開可能にされる弾性を有し、前記孔が形成された部位には突起の先端部を摺接させて当該孔に案内するためのテーパー溝が形成される、遊技媒体の補給シュート。
【請求項２】
請求項１において、前記基部は胴部の最大回動角度を規制するストッパーを有する、遊技媒体の補給シュート。
【請求項３】
請求項１又は２において、前記基部は前記遊技媒体を介して電気的に導通される対向電極を前記第１通路を挟んで有する、遊技媒体の補給シュート。
【請求項４】
請求項１乃至３の何れかにおいて、前記胴部は、前記第２通路に挿入される蛇腹管の外周に弾性力の抗して当接して係止する弾性ストッパーを片持ちで有する、遊技媒体の補給シュート。
【請求項５】
請求項１乃至４の何れかにおいて、前記弾性ストッパーは、弾性力に抗する前記弾性ストッパーの動きを抑制するために前記胴部の外周に巻き付けられる押圧バンドの巻き代を有する、遊技媒体の補給シュート。
【考案の詳細な説明】
【技術分野】
【０００１】
本考案は、メダルなどの遊技媒体を搬送ラインからその貸出機や遊技機に導き入れるための補給シュートに係り、例えばスロットマシンなどの遊技機でゲームを行うためのメダルを利用客に貸し出す貸機に適用して有効な技術に関する。
【背景技術】
【０００２】
パチンコ機やスロットマシンなどの遊技機、およびこれらの遊技機にてゲームを行うための遊技媒体を遊技客に貸し出す貸出機などの集合体によって構成される遊技機島には、島内に遊技媒体を循環させて前記遊技媒体使用機に自動補給ができるようにした装置が組み込まれたものがある。このような自動補給装置は、遊技機島の上部に補給用の遊技媒体を搬送するためのコンベアを備えている。遊技媒体は、搬送される途中で、コンベアの随所に付設された取込機構によって取り込まれ、補給シュートを介して、補給を必要とする遊技機や貸出機などの遊技媒体使用機に供給される。
【０００３】
例えば補給シュートは、遊技媒体使用機の背面に固定され、前記コンベアから分流されたメダルが流入される蛇腹管の開口部に上端開口部が接続され、ここから流入された遊技媒体を案内して、遊技媒体使用機のホッパーに放出する。この種の補給シュートとして、例えば意匠登録第８６７２８０号に係るメダル補給シュートがある。このメダル補給シュートは、概略L字型の基箱の上端開口部に胴部の下端が固定され、基箱の下端開口部に吐出案内部が設けられて構成され、蛇腹管から導入されたメダルを胴部から基箱に導き、吐出案内部からホッパーに供給する。貸出機に接続される補給シュートも同様である。
【先行技術文献】
【特許文献】
【０００４】
【特許文献１】意匠登録第８６７２８０号公報
【考案の概要】
【考案が解決しようとする課題】
【０００５】
ここで、上記従来のメダル補給シュートは、基箱が板金等によって一体的に形成され、胴部は基箱に枢着固定され、胴部と一体のブラケットをゲーム機の背面にネジ留めすることによって、メダル補給シュートをゲーム機の背面に取り付ける構造とされる。しかしながら、基箱及び胴部がそれぞれ板金によって一体的に形成され、基箱に胴部をピンなどで回動可能に枢着する構造では製造及び組立てのコストが高くなるという問題がある。そのほかに、派生的な問題として、第1に、基箱に対する胴部の回動角度が大きくなり過ぎるとメダル貸出機のメンテナンス性を悪化させる虞を生ずる。例えば島内に遊技機と媒体貸出機を交互に多数並設する場合に、基箱に対する胴部の回動角度が大きいと媒体貸出機を前に引き出してメンテナンスを行おうとしても隣の遊技機の背面にその胴部が当接して前に引き出すことができなくなる。第2に、媒体の補給量制御の異常に対して補給シュート側での対策が考慮されていなかった。第３に、胴部が短い場合には胴部にたいする蛇腹管の接続を安定化させる考慮が必要になる。
【０００６】
本考案の目的は、製造及び位組立てコストの低減に資することができる遊技媒体の補給シュートを提供することにある。
【０００７】
本考案の前記並びにその他の目的と新規な特徴は本明細書の記述及び添付図面から明らかになるであろう。
【課題を解決するための手段】
【０００８】
本願において開示される考案のうち代表的なものの概要を簡単に説明すれば下記の通りである。
【０００９】
〔１〕本発明に係る遊技媒体の補給シュートは、樹脂製の基部と、前記基部に回動可能に枢着された樹脂製の胴部とを有する。前記基部は、上部開口と下部開口に連通する概略L字状を呈する遊技媒体の第１通路が形成されると共に遊技媒体使用機に取り付けるための取り付け部を有する。前記胴部は、上部開口と下部開口に連通する概略直管状を呈する遊技媒体の第２通路が形成される。前記基部と胴部の何れか一方には枢着用の突起が一対形成され、他方には前記突起が枢支される孔が一対形成され、前記孔が形成された一対の部位は対向距離が拡開可能にされる弾性を有し、前記孔が形成された部位には突起の先端部を摺接させて当該孔に案内するためのテーパー溝が形成される。
【００１０】
これにより、基部と胴部は樹脂製であるから一体成形による低コスト製造が可能である。さらに、基部と胴部を枢着する孔又は突起の形成部位は拡開可能な弾性を有し、且つ、孔の近傍には突起を孔に案内するテーパー溝が形成されているので、基部と胴部の組立も容易になり、組立コストも低減する。
【００１１】
〔２〕項１において、前記基部は胴部の最大回動角度を規制するストッパーを有する。
【００１２】
これにより、基部に対して胴部の回動角度が大きくなり過ぎることはないから、本発明に係る補給シュートが隣の遊技媒体使用機と干渉して、当該補給シュートを装着した遊技媒体使用機のメンテナンス性を悪化させる虞はない。例えば遊技媒体使用機として遊技機と媒体貸出機を交互に多数並設する場合に、本発明に係る補給シュートを適用した媒体貸出機を前に引き出してメンテナンスを行おうとしたとき、隣の遊技機の背面にその補給シュートの胴部が当接して前に引き出すことができなくなることはない。
【００１３】
〔３〕項１又は２において、前記基部は前記遊技媒体を介して電気的に導通される対向電極を前記第１通路を挟んで有する。
【００１４】
これにより、対向電極の導通の有無を検出することにより、媒体の補給量制御の異常を補給シュート側で検出可能になる。
【００１５】
〔４〕項１乃至３の何れかにおいて、前記胴部は、前記第２通路に挿入される蛇腹管の外周に弾性力に抗して当接して係止する弾性ストッパーを片持ちで有する。
【００１６】
これにより、胴部が短い場合に胴部にたいする蛇腹管の接続を安定化させることができ、更に、蛇腹管の着脱を容易に行うことができる。
【００１７】
〔５〕項１乃至４の何れかにおいて、前記弾性ストッパーは、弾性力に抗する前記弾性ストッパーの動きを抑制するために前記胴部の外周に巻き付けられる押圧バンドの巻き代を有する。
【００１８】
これにより、振動や誤操作によって弾性ストッパーが蛇腹管から誤って外れる虞を簡単な構成によって未然に防止することができる。
【考案の効果】
【００１９】
本願において開示される考案のうち代表的なものによって得られる効果を簡単に説明すれば下記のとおりである。
【００２０】
すなわち、補給シュートの製造及び位組立てコストを低減することができる。
【図面の簡単な説明】
【００２１】
【図１】図１は本考案の一実施の形態に係るメダル補給シュートを適用したメダル貸出機とスロットマシンを配列した遊技機島の一部を概略的に例示した正面図である。
【図２】図２はメダル貸出機の背面には補給シュートを設けて蛇腹管を接続した状態を例示する側面図である。
【図３】図３は本考案の一実施の形態に係るメダル補給シュートの斜視図である。
【図４】図４は基部の斜視図である。
【図５】図５は胴部の斜視図である。
【図６】図６はメダル補給シュートの正面図である。
【図７】図７はメダル補給シュートの右側面図である。
【図８】図８は図６のＡ−Ａ断面図である。
【図９】図９は図７のＢ−Ｂ断面図である。
【図１０】図１０は基部に枢着されて回動可能な胴部の回動範囲を示す概略正面図である。
【考案を実施するための形態】
【００２２】
本考案の一実施の形態に係る補給シュートを適用したメダル貸出機とスロットマシンを配列した遊技機島の一部が図１に概略的に例示される。
【００２３】
同図に示される遊技機島は、遊技機としての複数のスロットマシン１と遊技媒体貸出機としての複数のメダル貸出機２とを並置して構成される。スロットマシン１及びメダル貸出機２の正面を示した図1において、メダル貸出機２は紙幣投入口２０から投入された額に応ずる枚数のメダルを左隣のスロットマシン１の払い出し口１０に向けて放出する。放出されたメダルをスロットマシン１の投入口１１に投入して操作パネル１２を操作すると、複数のホイール１３が回転駆動し、それが停止したとき、ホール外周面の絵柄の組合せ状態に応じてメダルが払い出し口１０に払い出されるようになっている。特に図示はしないが、並置されたスロットマシン1とメダル貸出機２は遊技島の周囲を覆うように一巡され、島の内部に遊技媒体補給装置としてのメダル補給装置が組み込まれている。
【００２４】
メダル補給装置は、遊技島の上部に長手方向に沿って架け渡されるメダル補給コンベア３と、遊技島の下部に長手方向に沿って敷設されるメダル回収コンベア４と、メダル回収コンベア４によって搬入されるメダルを揚送してメダル補給コンベア３に放出する図示を省略する揚送塔と、遊技島を管理する同じく図示を省略する制御部とによって構成される。メダル補給コンベア３には補給用のメダルが搬送され、スロットマシン１やメダル貸出機２の各々に対応させて、搬送されてくるメダルの取込機構を備える。取り込み機構は、制御部からの取り込み信号に応答して、搬送途上のメダルをメダル補給コンベア３から取り込む。取り込んだメダルは対応するスロットマシン１やメダル貸出機２に蛇腹管３０，３１を介して供給される。
【００２５】
図２に例示されるようにスロットマシン１やメダル貸出機２の背面には補給シュートが設けられ、補給シュートに蛇腹管３０，３１が接続され、蛇腹管３０，３１に取り込まれたメダルは補給シュートを介してスロットマシン１やメダル貸出機２のホッパーに落とし込まれて貯留され、貯留されたメダルは払い出しや貸出しに供される。
【００２６】
メダル貸出機2の背面には本実施の形態に係るメダル補給シュート１００が固定され、その上部開口には対応する蛇腹管３１が挿入され、下部開口は、メダル貸出機2の内部に配置されたメダル貯留ホッパー２２に連通される。メダル貯留ホッパーには貸出し前の多数のメダル２３が収容される。
【００２７】
図３はメダル補給シュート１００の斜視図である。メダル補給シュート１００は、樹脂製の基部１１０と、前記基部に回動可能に枢着された樹脂製の胴部１５０とを有する。前記基部１１０と胴部１５０は夫々一体成型で製造される。枢着される前の基部１１０は図４の斜視図に、胴部１５０は図５の斜視図に示される。図６はメダル補給シュート１００の正面図、図７はその右側面図、図８は図６のＡ−Ａ断面図、図９は図７のＢ−Ｂ断面図である。
【００２８】
前記基部１１０は、底板１２０、側面板１２１，１２２、背面板１２３、及び貸出機２の背面への取り付け部を構成する取り付け板１２５などによって囲むことによって上部開口と下部開口に連通する概略L字状を呈する遊技媒体の第１通路１２７が形成される。背面板１２３と取り付け板１２５の上部には夫々同心で貫通孔１３０，１３１が形成され、その上縁にはテーパー溝１３２，１３３が形成される。
【００２９】
胴部１５０は、８枚の周面板１６０〜１６７によって中空の８角柱状に形成されることによって上部開口と下部開口に連通する概略直管状を呈する遊技媒体の第２通路１６９が形成される。内部には案内用の突起１６８が複数形成される。胴部１５０の周面板１６６，１６２の下方には前記貫通孔１３０，１３１に枢支される枢着突起１７０，１７１が形成される。枢着突起１７０，１７１の端面はその下半分が前記テーパー溝１３２，１３３の斜面に係合する向きで面取りされている。基部１１０に胴部１５０を枢着するとき、枢着突起１７０，１７１の面取り部分をテーパー溝１３２，１３３に押し当てながら下に押し込むことによって貫通孔１３０，１３１の近傍で板１２５，１２３の上部が拡開方向に弾性変形して、枢着突起１７０，１７１が貫通項１３０，１３１に枢着される。
【００３０】
上述の如く基部１１０と胴部１５０は樹脂製であるから一体成形による低コスト製造が可能である。さらに、基部１１０と胴部１５０を枢着する孔１３０，１３１の形成部位は拡開可能な弾性を有し、且つ、孔１３０，１３１の近傍には突起１７０，１７１を孔に案内するテーパー溝１３２，１３３が形成されているので、基部１１０と胴部１５０の組立も容易になり、組立コストも低減させることができる。
【００３１】
図１０に例示されるように基部１１０に枢着されて回動可能な胴部１５０は第1の通路１２７の上端開口部近傍で側面板１２１，１２２に当接することによってその回動角度が角度θに規制される。側面板１２１，１２２の上端縁部分１２１Ａ、１２２Ａは胴部１５０の最大回動角度を規制するストッパーの一例を成す。
【００３２】
図1のようにスロットマシン1とメダル貸出機２を交互に多数並設して遊技島が構成されるとき、遊技島に多数並設したスロットマシン1及びメダル貸出機２の設置位置とメダル補給コンベア３に蛇腹管３０，３１を接続する位置とには少なからず設置工事に伴う誤差があり、蛇腹管３１の先端部に接続される胴部は基部１１０に対して往々にして傾くことが予想される。このとき、本実施の形態に係る補給シュート１００を図２のように背面に取り付けたメダル貸出機２を前に引き出してメンテナンスを行おうとしたとき、前記上縁部分１２１Ａ，１２２Ａによるストッパー機能がなければ、隣のスロットマシン１の背面にその補給シュート１００の胴部１５０が当接して前に引き出すことができなくなる。このように、本実施の形態に係る補給シュート１００によれば、基部１１０に対して胴部１５０の回動角度が大きくなり過ぎることはないから、補給シュートが隣の遊技媒体使用機と干渉して、当該補給シュートを装着した遊技媒体使用機のメンテナンス性を悪化させる虞を未然に防止することができる。
【００３３】
前記胴部１５０の周面板１６０，１６４には、第２通路１６９に挿入される蛇腹管３１の外周に弾性力に抗して当接して係止する弾性ストッパー１８０が形成される。弾性ストッパー１８０は周面板１６０，１６４の下方に、表裏に連通する割り溝１８１で３方が囲まれることにより、片持ち支持状態で弾性変形可能に構成される。特に制限されないが、ここでは蛇腹管３１には線径が２ｍｍ程度の線材をコイル状に成形した変形容易なユニバーサル管を用いているので、弾性ストッパー１８０は第２通路１６９の中心に向かった小さ係合突起１８５を有する。係合突起１８５は蛇腹管３１の線材による螺旋溝に食い込んで、蛇腹管３１の軸方向への引っ張りに抗して、胴部１５０が蛇腹管３１から容易に抜けないようになっている。
【００３４】
これにより、胴部１５０が短い場合に胴部１５０にたいする蛇腹管３１の接続を安定化させることができ、更に、蛇腹管３１の着脱を容易に行うことができる。
【００３５】
更に、弾性ストッパー１８０の外面には一対の突片１８３，１８４が起立形成され、突片１８３，１８４の中央部は僅かに凹んでおり、弾性力に抗する前記弾性ストッパー１８０の拡開方向に動きを抑制するために前記胴部の外周に巻き付けられる押圧バンドの巻き代として機能する。特に図示はしないが、押圧バンドとして、配線や管を束ねたりするプラスチック製締め付けバンドを用いればよい。
【００３６】
突片１８３，１８４に形成された巻き代により、振動や誤操作によって弾性ストッパー１８０が蛇腹管３１から誤って外れる虞を簡単な構成によって未然に防止することができる。
【００３７】
前記基部１１０の第１の通路１２７内には側面板１２１，１２２の背面に位置して、メダルを介して電気的に導通される対向電極１４１が前記第１通路１２７を挟んで装着されている。一対の対向電極１４１は例えば金属製であり、側面板１２１，１２２に貫通するねじ１４２で固定される。ねじ１４２にはリード線２００，２０１の一端部が接続固定され、中間部がポスト１２７に巻きつけられて、他端が図示を省略する制御部に接続される。
【００３８】
対向電極１４１，１４１の導通の有無を検出することにより、メダル補給コンベアからのメダルの補給量制御の異常を補給シュート側で検出することができるようになる。
【００３９】
本興考案は上記実施の形態に限定されず本考案に要旨の範囲で適宜変更可能である。例えば貫通孔と突起を夫々設ける場所を逆にしてもよい。対抗電極は金属製に限定されず樹脂の表面に金属メッキを行ったものでもよい。
【符号の説明】
【００４０】
１  スロットマシン
２  メダル貸出機
３  メダル補給コンベア
４  メダル回収コンベア
３０，３１  蛇腹管
１００  メダル補給シュート
２２  メダル貯留ホッパー
２３  メダル
１１０  基部
１５０  胴部
１２７  第１通路
１３０，１３１  貫通孔
１３２，１３３  テーパー溝
１６９  第２通路
１７０，１７１  枢着突起
１２１A、１２２A  ストッパーとして機能する上端縁部分
１８０  弾性ストッパー
１８１  割り溝
１８５  係合突起
１８３，１８４  押圧バンドの巻き代として機能する突片
１４１  対向電極
【図１】
0003172310.tif 000003
【図２】
0003172310.tif 000004
【図３】
0003172310.tif 000005
【図４】
0003172310.tif 000006
【図５】
0003172310.tif 000007
【図６】
0003172310.tif 000008
【図７】
0003172310.tif 000009
【図８】
0003172310.tif 000010
【図９】
0003172310.tif 000011
【図１０】
0003172310.tif 000012